【手続補正書】
【提出日】平成20年7月24日(2008.7.24)
【手続補正１】
【補正対象書類名】明細書
【補正対象項目名】特許請求の範囲
【補正方法】変更
【補正の内容】
【特許請求の範囲】
【請求項１】  表示部と、
該表示部へ映像を表示する場合に、該映像が表示される画面がワイド画面から
ノ−マル画面に切り換わったことを検出する画面表示切換検出手段と、
該画面表示切換検出手段がノ−マル画面への切り換えを検出した場合には、前
記ノ−マル画面への切り換えにより生じるマスク部に、前記受信映像とは別の情
報を表示する画面制御手段とを備え、
該画面制御手段は、ユーザによる操作が可能な情報メニューを前記マスク部に
表示することを特徴とする表示装置。
【請求項２】  道路交通情報を受信する受信部を備え、 
前記画面制御手段は、前記受信部により受信された道路交通情報の表示を選択
するための道路交通情報メニューを前記マスク部に表示し、
ユーザにより前記道路交通情報の表示が選択された場合、前記受信部により受
信された道路交通情報を前記マスク部に表示することを特徴とする請求項１記載
の表示装置。
【請求項３】  広告情報を取得する通信制御部を備え、 
前記画面制御手段は、前記通信制御部により取得された広告情報の表示を選択
するための広告情報メニューを前記マスク部に表示し、
ユーザにより前記広告情報の表示が選択された場合、前記通信制御部により取
得された広告情報を前記マスク部に表示することを特徴とする請求項１又は請求
項２記載の表示装置。
【請求項４】  車両情報を取得する車両情報取得部を備え、
前記画面制御手段は、前記車両情報取得部により取得された車両情報の表示を
選択するための車両情報メニューを前記マスク部に表示し、
ユーザにより前記車両情報の表示が選択された場合、前記車両情報取得部によ
り取得された車両情報を前記マスク部に表示することを特徴とする請求項１〜３
のいずれかの項に記載の表示装置。
【請求項５】  誘導経路情報を取得するナビゲ−ション制御部を備え、
前記画面制御手段は、前記ナビゲ−ション制御部により取得された誘導経路情
報の表示を選択するための誘導経路情報メニューを前記マスク部に表示し、
ユーザにより前記誘導経路情報の表示が選択された場合、前記ナビゲ−ション
制御部により取得された誘導経路情報を前記マスク部に表示することを特徴とす
る請求項１〜４のいずれかの項に記載の表示装置。
【請求項６】  前記画面制御手段が、
前記表示部における前記マスク部の位置の変更を可能にするマスク位置変更手
段を備えていることを特徴とする請求項１〜５のいずれかの項に記載の表示装置
。
【手続補正２】
【補正対象書類名】明細書
【補正対象項目名】０００９
【補正方法】変更
【補正の内容】
【０００９】
【課題を解決するための手段及びその効果】
上記目的を達成するために本発明に係る表示装置（１）は、表示部と、該表示
部へ映像を表示する場合に、該映像が表示される画面がワイド画面からノ−マル
画面に切り換わったことを検出する画面表示切換検出手段と、該画面表示切換検
出手段がノ−マル画面への切り換えを検出した場合には、前記ノ−マル画面への
切り換えにより生じるマスク部に、前記受信映像とは別の情報を表示する画面制
御手段とを備え、該画面制御手段は、ユーザによる操作が可能な情報メニューを
前記マスク部に表示することを特徴としている。
【手続補正３】
【補正対象書類名】明細書
【補正対象項目名】００１０
【補正方法】変更
【補正の内容】
【００１０】
上記表示装置（１）によれば、映像が表示される画面がワイド画面表示からノ
−マル画面表示に切り換えられることにより生じるマスク部に、前記映像とは別
の情報を表示させることができ、ワイド画面用の表示部を無駄なく活用すること
ができる。したがって、視聴者は、前記映像を楽しみながら前記マスク部に映し
出される情報も取得することができ、視聴者の利便性を向上させることができる
。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
さらに、上記表示装置（１）によれば、画面表示がワイド画面からノ−マル画
面に切り換えられることにより生じるマスク部に、ユーザによる操作が可能な情
報メニューを表示させることができる。例えば、表示装置が車載用ナビゲ−ショ
ンシステムに用いられている場合には、前記情報メニュ−として、道路交通情報
、広告情報、車両情報、誘導経路情報、あるいはＣＤやＦＭなどのオ−ディオ情
報等を含ませることができる。そして前記情報メニュ−の選択方法をタッチパネ
ル形式や、前記メニュ−の表示と連動したスイッチボタン形式とすることで、視
覚的にも分かりやすく、容易にメニュ−選択が行えるようにすることができる。
しかも、表示装置の本体部分に設ける選択ボタン等の操作スイッチの数を少なく
することで、表示装置の本体サイズは大きくせずに、表示部の画面サイズを大き
くすることも可能となる。
【手続補正６】
【補正対象書類名】明細書
【補正対象項目名】００１３
【補正方法】変更
【補正の内容】
【００１３】
また本発明に係る表示装置（２）は、上記表示装置（１）において、道路交通
情報を受信する受信部を備え、前記画面制御手段は、前記受信部により受信され
た道路交通情報の表示を選択するための道路交通情報メニューを前記マスク部に
表示し、ユーザにより前記道路交通情報の表示が選択された場合、前記受信部に
より受信された道路交通情報を前記マスク部に表示することを特徴としている。
【手続補正７】
【補正対象書類名】明細書
【補正対象項目名】００１４
【補正方法】変更
【補正の内容】
【００１４】
上記表示装置（２）によれば、画面表示がワイド画面からノ−マル画面に切り
換わることにより生じるマスク部に前記道路交通情報を表示させることができ、
視聴者は、前記受信映像を楽しみながら、道路工事情報や渋滞情報等の前記道路
交通情報も取得することができ、視聴者の利便性を向上させることができる。
【手続補正８】
【補正対象書類名】明細書
【補正対象項目名】００１５
【補正方法】変更
【補正の内容】
【００１５】
また本発明に係る表示装置（３）は、上記表示装置（１）又は（２）において
、広告情報を取得する通信制御部を備え、前記画面制御手段は、前記通信制御部
により取得された広告情報の表示を選択するための広告情報メニューを前記マス
ク部に表示し、ユーザにより前記広告情報の表示が選択された場合、前記通信制
御部により取得された広告情報を前記マスク部に表示することを特徴としている
。
【手続補正９】
【補正対象書類名】明細書
【補正対象項目名】００１６
【補正方法】変更
【補正の内容】
【００１６】
上記表示装置（３）によれば、画面表示がワイド画面からノ−マル画面に切り
換わることにより生じるマスク部に前記広告情報を表示させることができ、視聴
者は、前記映像を楽しみながら、前記広告情報を参照することができる。また、
前記映像の表示部分とは別の場所に前記広告情報が映し出されるので、前記広告
情報を飛ばして見られることもなく、広告提供者は視聴者に対して効果的な広告
情報の提供を行うことができる。
【手続補正１０】
【補正対象書類名】明細書
【補正対象項目名】００１７
【補正方法】変更
【補正の内容】
【００１７】
また本発明に係る表示装置（４）は、上記表示装置（１）〜（３）のいずれか
において、車両情報を取得する車両情報取得部を備え、前記画面制御手段は、前
記車両情報取得部により取得された車両情報の表示を選択するための車両情報メ
ニューを前記マスク部に表示し、ユーザにより前記車両情報の表示が選択された
場合、前記車両情報取得部により取得された車両情報を前記マスク部に表示する
ことを特徴としている。
【手続補正１１】
【補正対象書類名】明細書
【補正対象項目名】００１８
【補正方法】変更
【補正の内容】
【００１８】
上記表示装置（４）によれば、画面表示がワイド画面からノ−マル画面に切り
換わることにより生じるマスク部に前記車両情報を表示させることができ、視聴
者は、前記映像を楽しみながら、バッテリ電圧、エンジン水温、車内気温、エア
コン設定温度等の車両状態に関わる各種の車両情報を取得することができ、車両
状態を的確に把握しながら運転をすることができる。
【手続補正１２】
【補正対象書類名】明細書
【補正対象項目名】００１９
【補正方法】変更
【補正の内容】
【００１９】
また本発明に係る表示装置（５）は、上記表示装置（１）〜（４）のいずれか
において、誘導経路情報を取得するナビゲ−ション制御部を備え、前記画面制御
手段は、前記ナビゲ−ション制御部により取得された誘導経路情報の表示を選択
するための誘導経路情報メニューを前記マスク部に表示し、ユーザにより前記誘
導経路情報の表示が選択された場合、前記ナビゲ−ション制御部により取得され
た誘導経路情報を前記マスク部に表示することを特徴としている。
【手続補正１３】
【補正対象書類名】明細書
【補正対象項目名】００２０
【補正方法】変更
【補正の内容】
【００２０】
上記表示装置（５）によれば、画面表示がワイド画面からノ−マル画面に切り
換わることにより生じるマスク部に前記誘導経路情報を表示させることができ、
視聴者は、前記映像を楽しみながら、前記誘導経路情報を参照して、車両を走行
させることができ、視聴者の利便性を向上させることができる。
【手続補正１４】
【補正対象書類名】明細書
【補正対象項目名】００２１
【補正方法】変更
【補正の内容】
【００２１】
また本発明に係る表示装置（６）は、上記表示装置（１）〜（５）のいずれか
において、前記画面制御手段が、前記表示部における前記マスク部の位置の変更
を可能にするマスク位置変更手段を備えていることを特徴としている。
【手続補正１５】
【補正対象書類名】明細書
【補正対象項目名】００２２
【補正方法】変更
【補正の内容】
【００２２】
上記表示装置（６）によれば、前記マスク部に表示させる情報によって、前記
マスク部の位置を変更し得るので、限られた画面スペ−スにおける表示効果を高
めることができる。